(57)【要約】【課題】  患者や被介護者がナースコール子機によって用件を伝達する場合に、その用件が緊急を要する用件であるか、緊急を要さない用件であるかを容易に区別して呼出すことができるようにする。【解決手段】  子機１による呼出しボタン２の操作時間が所定時間以上となった場合に、親機１０は、親機用スピーカ１４より緊急呼出し音を出力させるようにし、呼出しボタン２の操作時間が所定時間未満となった場合に、親機１０は、親機用スピーカ１４より通常の呼出し音を出力させるようにしているので、患者や被介護者は、呼出しボタン２の操作のみにより、緊急を要する用件であるか、緊急を要さない用件であるかを容易に区別して呼出すことができる。【選択図】        図１
2007089726.tif 000002
【特許請求の範囲】
【請求項１】
発呼者による操作により呼出し信号を出力する呼出しボタンと、前記呼出しボタンによる呼出し操作の時間を計測する計時部と、前記計時部により計測された時間が所定時間以上であるか否かを判定してその判定結果を出力する子機用制御部と、前記呼出し信号及び前記判定結果を入力して送信する送信部とを備えた子機と、
前記子機から送信された前記呼出し信号及び前記判定結果を受信する受信部と、前記発呼者からの呼出しを示す呼出し音を出力する放音部と、前記放音部から出力される呼出し音の種類を前記判定結果に応じて異ならせる呼出し音設定部と、前記受信部が前記呼出し信号を受信した場合に、前記放音部から前記呼出し音を出力させる親機用制御部とを備えた親機と、
を有するナースコールシステム。
【請求項２】
前記呼出し音設定部は、前記計時部により計測された時間が所定時間以上であるという判定結果である場合に、前記呼出し音の種類を緊急であることを示す緊急呼出し音に設定し、前記計時部により計測された時間が所定時間未満であるという判定結果である場合に、前記呼出し音の種類を通常呼出し音に設定する第１の状態と、前記計時部により計測された時間が所定時間未満であるという判定結果である場合に、前記呼出し音の種類を緊急呼出し音に設定し、前記計時部により計測された時間が所定時間以上であるという判定結果である場合に、前記呼出し音の種類を通常呼出し音に設定する第２の状態とを切り換え可能とすることを特徴とする請求項１に記載のナースコールシステム。
【発明の詳細な説明】
【技術分野】
【０００１】
本発明は、病院や介護施設などで患者や被介護者からの要求に応じて看護師や介護者を呼び出すナースコールシステムに関する。
【背景技術】
【０００２】
従来、ナースコールシステムでは、患者や被介護者の近辺（例えば、ベッドの近辺など）に設置されたナースコール子機及び看護師や介護者の居る部屋などに設置されたナースコール親機を有線や無線などにより接続している。そして、患者や被介護者がナースコール子機を操作することにより、ナースコール親機が呼出し音やメロディ音を出力するようにしている。看護師や介護者は、ナースコール親機が発する呼出し音やメロディ音を聴いて、ナースコール親機に設けられた受話器により患者や被介護者と通話する。
【０００３】
また、ナースコール子機に通常呼出しボタンと緊急呼出しボタンとを設け、患者や被介護者は、緊急を要する場合には緊急呼出しボタンを押下し、緊急を要さない場合には通常呼出しボタンを押下するようにする技術が知られている。このような場合において、緊急呼出しボタンが押下された場合と、通常呼出しボタンが押下された場合とで、ナースコール親機が出力する呼出し音やメロディ音を異ならせる技術が知られている。
【０００４】
しかしながら、従来の技術では、患者や被介護者は、通常呼出しと緊急呼出しとで異なるボタンを押下しなければならないので、夜間などのナースコール子機を視認できない場合などでは、通常呼出しと緊急呼出しとを区別して呼出すことができないという問題点があった。
【０００５】
なお、ナースコール子機に緊急時と不急時とを切り換える切り換えスイッチを設け、呼出しボタンを押下した際に緊急呼出しであるか通常呼出しであるかを切り換えスイッチにより切り換える技術が知られている（例えば、特許文献１など）。
【特許文献１】特開２０００−４８２６７号公報
【０００６】
しかしながら、この特許文献１に記載の技術では、切り換えスイッチを操作した後に呼出しボタンを押下しなければならないので、患者や被介護者が呼出しを行う際に余計な手間がかかってしまうという問題点があった。また、夜間などのナースコール子機を視認できない場合などでは、切り換えスイッチを操作し難くなってしまうという問題点があった。
【発明の開示】
【発明が解決しようとする課題】
【０００７】
本発明は、このような問題を解決するために成されたものであり、患者や被介護者がナースコール子機によって用件を伝達する場合に、夜間などのナースコール子機が視認できないときでも、呼出しボタンのみを確認することさえできれば、緊急を要する用件であるか、緊急を要さない用件であるかを、容易に区別して呼出すことができるようにすることを目的とする。
【課題を解決するための手段】
【０００８】
上述した課題を解決するために、本発明では、ナースコール子機の呼出しボタンの操作時間に応じてナースコール親機が出力する呼出し音の種類を異ならせるようにしている。
【発明の効果】
【０００９】
上記のように構成した本発明によれば、ナースコール子機による呼出し操作の時間に応じてナースコール親機から出力される呼出し音を異ならせることができるので、患者や被介護者は、呼出しボタンの操作のみによって呼出し音を異ならせることができる。従って、患者や被介護者は、夜間などのナースコール子機が視認できないときでも、呼出しボタンのみを確認することさえできれば、緊急を要する用件であるか、緊急を要さない用件であるかを、容易に区別して呼出すことができる。
【発明を実施するための最良の形態】
【００１０】
以下、本発明の一実施形態を図面に基づいて説明する。図１は、本実施形態によるナースコールシステムの構成例を示すブロック図である。図１に示すように、本実施形態によるナースコールシステムは、子機１及び親機１０を備えて構成されている。また、子機１は、呼出しボタン２、計時部３、子機用制御部４、子機用通信インターフェース５（特許請求の範囲の送信部に該当する）、子機用マイク６、子機用スピーカ７を備えて構成されている。また、親機１０は、親機用通信インターフェース１１（特許請求の範囲の受信部に該当する）、親機用マイク１２、呼出し音設定部１３、親機用スピーカ１４（特許請求の範囲の放音部に該当する）、表示部１５、親機用制御部１６を備えて構成されている。
【００１１】
図１において、子機１は、患者や被介護者が在室する室内などのベッドなどに取り付けられており、伝送線を介してナースセンターなどに設置されている親機１０に接続されている。ここで、複数の子機１は、一つの親機１０に対して識別可能に接続されている。なお、子機１と親機１０との間に廊下灯が接続されていても良い。
【００１２】
呼出しボタン２は、患者や被介護者による押下により呼出し信号を出力する。ここで、呼出しボタン２は、患者や被介護者による押下により呼出し信号を生成する図示しない呼出し信号生成部を含む。患者や被介護者は、看護師や介護者を呼び出したい場合に、呼出しボタン２を押下する。また、患者や被介護者は、緊急の要件の場合には、呼出しボタン２を長押しする。計時部３は、呼出しボタン２が操作されている時間、換言すると、呼出し信号が出力されている時間を計測する。
【００１３】
子機用制御部４は、子機１の各構成要素を制御すると共に、呼出し信号を入力し、計時部３により計測された時間を示す時間情報を入力する。子機用制御部４は、計時部３より時間情報を入力し、その時間が所定時間（例えば２秒以上など）であるか否かを判定する。そして、所定時間以上であると子機用制御部４が判断した場合には、子機用制御部４は、呼出し信号の代わりに緊急呼出し信号を出力する。また、計時部３により計測された時間が所定時間未満であると子機用制御部４が判断した場合には、子機用制御部４は、呼出し信号をそのまま出力する。ここで、緊急呼出し信号は、患者や被介護者からの呼出しが緊急の呼出しであることを示す信号であり、呼出し信号は、患者や被介護者からの呼出しが通常の呼出しであることを示す信号である。
【００１４】
子機用通信インターフェース５は、子機用制御部４から入力した呼出し信号や緊急呼出し信号を親機１０に送信する。子機用マイク６は、患者や被介護者が発する音声を入力し、子機用通信インターフェース５を介して親機１０に送信する。子機用スピーカ７は、親機１０より送信された音声信号を子機用通信インターフェース５を介して入力し、外部に出力する。
【００１５】
親機用通信インターフェース１１は、子機１から送信された呼出し信号や緊急呼出し信号、音声信号を受信する。親機用マイク１２は、看護師や介護者が発する音声を入力し、親機用通信インターフェース１１を介して子機１に送信する。呼出し音設定部１３は、親機用通信インターフェース１１が受信した信号に応じて（呼出し信号又は緊急呼出し信号）、親機用スピーカ１４から出力される呼出し音の種類を設定する。ここで、呼出し音設定部１３は、親機用通信インターフェース１１が呼出し信号を受信した場合には、通常の呼出し音を設定し、親機用通信インターフェース１１が緊急呼出し信号を受信した場合には、緊急の呼出し音を設定する。親機用スピーカ１４は、呼出し音設定部１６にて設定された呼出し音や子機１から送信された音声を出力する。表示部１５は、子機１を使用した患者や被介護者の氏名などを表示する。ここで、患者や被介護者の氏名は、子機１を識別することにより特定される。
【００１６】
親機用制御部１６は、親機１０内の各構成要素を制御する。また、親機用制御部１６は、親機用通信インターフェース１１から呼出し信号や緊急呼出し信号を入力する。そして、呼出し信号を入力した場合には、親機用制御部１６は、呼出し音設定部１３にて通常の呼出し音を設定し、緊急呼出し信号を入力した場合には、親機用制御部１６は、呼出し音設定部１３にて緊急の呼出し音を設定する。
【００１７】
親機１０において、図示しない応答ボタンなどにより、看護師や介護者が応答すると、呼出し音の出力が終了する。そして、親機用マイク１２に入力された音声信号は、親機用通信インターフェース１１を介して子機１に送信される。子機１では、子機用通信インターフェース５にて受信した音声信号を子機用スピーカ７より出力する。一方、子機用マイク６に入力された音声信号は、子機用通信インターフェース５を介して親機１０に送信される。親機１０では、親機用通信インターフェース１１にて受信した音声信号を親機用スピーカ１５より出力する。これにより、患者や被介護者と看護師や介護者との間で音声によるやり取りが可能となる。
【００１８】
次に、本実施形態によるナースコールシステムの動作及び呼出し方法を説明する。図２は、本実施形態によるナースコールシステムの動作及び呼出し方法を示すフローチャートである。まず、子機１にて、呼出しボタン２が押下されたか否か（呼出し信号が出力されているか否か）を子機用制御部４にて調べる（ステップＳ１）。呼出しボタン２が押下されないと子機用制御部４にて判断した場合には（ステップＳ１にてＮＯ）、ステップＳ１の処理を繰り返す。一方、子機１にて、呼出しボタン２が押下されたと子機用制御部４にて判断した場合には（ステップＳ１にてＹＥＳ）、子機用制御部４は、計時部３により測定された呼出しボタン２が押下された時間が所定の時間以上であるか否かを調べる（ステップＳ２）。
【００１９】
呼出しボタン２が押下された時間が所定の時間以上ではない（換言すると、所定の時間未満である）と子機用制御部４にて判断した場合には（ステップＳ２にてＮＯ）、子機用制御部４は、子機用通信インターフェース５により通常の呼出し信号を送信する（ステップＳ３）。一方、呼出しボタン２が押下された時間が所定の時間以上であると子機用制御部４にて判断した場合には（ステップＳ２にてＹＥＳ）、子機用制御部４は、子機用通信インターフェース５により緊急呼出し信号を送信する（ステップＳ４）。
【００２０】
親機１０では、子機１から呼出し信号又は緊急呼出し信号を受信したか否かを親機用制御部１６にて調べる（ステップＳ５）。呼出し信号及び緊急呼出し信号の何れも受信していないと親機用制御部１６にて判断した場合には（ステップＳ５にてＮＯ）、ステップＳ５の処理を繰り返す。
【００２１】
一方、子機１から呼出し信号又は緊急呼出し信号を受信したと親機用制御部１６にて判断した場合には（ステップＳ５にてＹＥＳ）、親機用通信インターフェース１１にて受信した呼出し信号が緊急呼出し信号であるか否かを親機用制御部１６にて調べる（ステップＳ６）。親機用通信インターフェース１１にて受信した呼出し信号が緊急呼出し信号ではない（通常の呼出し信号を受信した）と親機用制御部１６にて判断した場合には（ステップＳ６にてＮＯ）、親機用制御部１６は、呼出し音設定部１３を制御して、通常呼出し音を親機用スピーカ１４より出力する（ステップＳ７）。
【００２２】
ここで、親機１０では、通常呼出し音が出力されている状態である。親機１０にて、親機用制御部１６は、子機１からの呼出しに対して応答したか否かを調べる（ステップＳ８）。応答していないと親機用制御部１６にて判断した場合には（ステップＳ８にてＮＯ）、ステップＳ７の処理に戻る。一方、応答したと親機用制御部１６にて判断した場合には（ステップＳ８にてＹＥＳ）、ステップＳ１１の処理にジャンプする。
【００２３】
親機用通信インターフェース１１にて受信した呼出し信号が緊急呼出し信号であると親機用制御部１６にて判断した場合には（ステップＳ６にてＹＥＳ）、親機用制御部１６は、呼出し音設定部１３を制御して、緊急呼出し音を親機用スピーカ１４より出力する（ステップＳ９）。
【００２４】
ここで、親機１０では、緊急呼出し音が出力されている状態である。親機１０にて、親機用制御部１６は、子機１からの呼出しに対して応答したか否かを調べる（ステップＳ１０）。応答していないと親機用制御部１６にて判断した場合には（ステップＳ１０にてＮＯ）、ステップＳ９の処理に戻る。一方、応答したと親機用制御部１６にて判断した場合には（ステップＳ１０にてＹＥＳ）、ステップＳ１１の処理にジャンプする。ステップＳ１１にて、親機１０は、子機１との間で通話を行う。
【００２５】
子機１にて、通常の呼出し信号を送信している場合には（ステップＳ３）、子機用制御部４は、親機１０からの応答があったか否かを調べる（ステップＳ１２）。親機１０からの応答がないと子機用制御部４にて判断した場合には（ステップＳ１２にてＮＯ）、ステップＳ３の処理に戻る。一方、親機１０からの応答があったと子機用制御部４にて判断した場合には（ステップＳ１２にてＹＥＳ）、ステップＳ１４にジャンプする。
【００２６】
また、子機１にて、緊急呼出し信号を送信している場合には（ステップＳ４）、子機用制御部４は、親機１０からの応答があったか否かを調べる（ステップＳ１３）。親機１０からの応答がないと子機用制御部４にて判断した場合には（ステップＳ１３にてＮＯ）、ステップＳ４の処理に戻る。一方、親機１０からの応答があったと子機用制御部４にて判断した場合には（ステップＳ１３にてＹＥＳ）、ステップＳ１４にジャンプする。ステップＳ１４にて、子機１は、親機１０との間で通話を行う（ステップＳ１４）。
【００２７】
以上詳しく説明したように、本実施形態によれば、呼出しボタン２が所定時間以上押下された場合に、親機１０は、緊急呼出し音を出力するようにし、呼出しボタン２が所定時間未満押下された場合に、親機１０は、通常の呼出し音を出力するようにしている。このように、子機１による呼出し操作の時間に応じて親機１０から出力される呼出し音を異ならせることができるので、患者や被介護者は、呼出しボタン２の操作のみによって呼出し音を異ならせることができる。従って、患者や被介護者は、夜間などの子機１が視認できないときでも、呼出しボタン２のみを確認することさえできれば、緊急を要する用件であるか、緊急を要さない用件であるかを、容易に区別して看護師や介護者を呼出すことができる。
【００２８】
なお、前述した実施形態では、呼出しボタン２が押下された時間が所定時間以上である場合に、親機用スピーカ１４から緊急呼出し音を出力させるようにしているが、これに限定されない。例えば、親機用制御部１６では、呼出しボタン２が押下された時間が所定時間以上である場合に、親機用スピーカ１４から通常の呼出し音を出力させ、呼出しボタン２が押下された時間が所定時間未満である場合に、親機用スピーカ１４から緊急呼出し音を出力させるようにしても良い。
【００２９】
また、前述した実施形態及び前述した変形例では、呼出しボタン２が押下された時間が所定時間以上である場合に、親機用スピーカ１４から緊急呼出し音を出力させるようにするか、呼出しボタン２が押下された時間が所定時間未満である場合に、親機用スピーカ１４から緊急呼出し音を出力させるようにするかが固定されているが、これに限定されない。例えば、呼出し音設定部１３は、呼出しボタン２が押下された時間が所定時間以上である場合に、親機用スピーカ１４から緊急呼出し音を出力させるか、呼出しボタン２が押下された時間が所定時間未満である場合に、親機用スピーカ１４から緊急呼出し音を出力させるかを、切り換え可能としても良い。これにより、患者や被介護者の好みに応じて緊急時の呼出し方法を設定することができる。
【００３０】
また、このような場合において、呼出しボタン２が押下された時間が所定時間以上である場合に、親機用スピーカ１４から緊急呼出し音を出力させるか、呼出しボタン２が押下された時間が所定時間未満である場合に、親機用スピーカ１４から緊急呼出し音を出力させるかを、子機１毎に切り換え可能としても良い。
【００３１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００３２】
本発明は、病院や介護施設などで患者や被介護者からの要求に応じて看護師や介護者を呼び出すナースコールシステムに有用である。
【図面の簡単な説明】
【００３３】
【図１】本実施形態によるナースコールシステムの構成例を示すブロック図である。
【図２】本実施形態によるナースコールシステムの動作及び呼出し方法を示すフローチャートである。
【符号の説明】
【００３４】
１    子機
２    呼出しボタン
３    計時部
４    子機用制御部
５    子機用通信インターフェース
６    子機用マイク
７    子機用スピーカ
１０    親機
１１    親機用通信インターフェース
１２    親機用マイク
１３    呼出し音設定部
１４    親機用スピーカ
１５    表示部
１６    親機用制御部
【図１】
2007089726.tif 000003
【図２】
2007089726.tif 000004